【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
ＵＥによるワイヤレス通信のための方法であって、
１つまたは複数のチャネル状態情報基準信号（ＣＳＩ−ＲＳ）リソースを受信することと、
前記１つまたは複数のＣＳＩ−ＲＳリソースに基づいてタイミング推定を実行することと、
復調基準信号（ＤＭ−ＲＳ）ベース送信を受信することと、
前記ＤＭ−ＲＳベース送信を復号するために前記タイミング推定を利用することとを備える、方法。
【請求項２】
前記タイミング推定を実行するためにいずれのＣＳＩ−ＲＳリソースを使用するかを判断することをさらに備える、請求項１に記載の方法。
【請求項３】
前記判断が、ネットワークから受信されたシグナリングに、少なくとも部分的に基づく、請求項２に記載の方法。
【請求項４】
前記ネットワークから受信された前記シグナリングは、
１つまたは複数の構成状態を示す、前記ネットワークからの半静的シグナリングと、ここにおいて、各構成状態が１つのＣＳＩ−ＲＳリソースに関連付けられている、
前記１つまたは複数の構成状態のうちのいずれが前記タイミング推定を実行するために利用されるべきかを示す動的シグナリングとの組合せを備える、請求項３に記載の方法。
【請求項５】
前記シグナリングが、前記ＤＭ−ＲＳベース送信に関連付けられた許可中に含まれる少なくとも１ビットを介して前記タイミング推定を実行するために使用されるべきＣＳＩ−ＲＳリソースを示す、請求項３に記載の方法。
【請求項６】
前記判断が、前記ＤＭ−ＲＳベース送信に関連付けられた許可のタイプに少なくとも部分的に基づく、請求項３に記載の方法。
【請求項７】
前記シグナリングが、前記許可中のスクランブリングコード識別（ＳＣＩＤ）ビットを介して前記タイミング推定を実行するために使用されるべきＣＳＩ−ＲＳリソースを示す、請求項５に記載の方法。
【請求項８】
前記シグナリングが第１のサブフレーム中で提供され、
前記ＤＭ−ＲＳベース送信が前記第１のサブフレームに続く第２のサブフレーム中で送信される、請求項３に記載の方法。
【請求項９】
タイミング推定のために使用されるべき前記ＣＳＩ−ＲＳリソースは、非周期フィードバック報告がそのために直近に報告または要求されたものとして選択される、請求項３に記載の方法。
【請求項１０】
前記判断が仮想セルＩＤに基づく、請求項３に記載の方法。
【請求項１１】
前記判断がサブフレームのタイプに、少なくとも部分的に、依存する、請求項２に記載の方法。
【請求項１２】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に、依存する、請求項１１に記載の方法。
【請求項１３】
前記１つまたは複数のＣＳＩ−ＲＳリソースは、複数の送信ポイントから受信され、
前記タイミング推定を実行するためにいずれのＣＳＩ−ＲＳリソースを使用するかを判断することは、前記複数の送信ポイントの単一の送信ポイントからのＣＳＩ−ＲＳリソースを判断することを備える、
請求項２に記載の方法。
【請求項１４】
前記ＤＭ−ＲＳは、第１のサブフレーム中で前記単一の送信ポイントから受信される、請求項１３に記載の方法。
【請求項１５】
別のタイミング推定を実行するために使用すべき、前記複数の送信ポイントの別の単一の送信ポイントからのＣＳＩ−ＲＳを判断することと、
第２のサブフレーム中で、前記別の単一の送信ポイントから別のＤＭ−ＲＳベース送信を受信することと、
前記別のＤＭ−ＲＳベース送信を復号するために前記別のタイミング推定を利用することと、
をさらに備える、請求項１４に記載の方法。
【請求項１６】
前記ＤＭ−ＲＳベース送信がデータ送信を備える、請求項１に記載の方法。
【請求項１７】
前記ＤＭ−ＲＳベース送信が制御情報を備える、請求項１に記載の方法。
【請求項１８】
前記ＤＭ−ＲＳベース送信が拡張物理ダウンリンク制御チャネル（ＥＰＤＣＣＨ）を備える、請求項１７に記載の方法。
【請求項１９】
前記ＥＰＤＣＣＨがマルチプルの復号セットを備え、
前記ＤＭ−ＲＳベース送信に関連付けられた前記ＣＳＩ−ＲＳリソースの判断が、前記復号セットの各々をＣＳＩ−ＲＳリソースに関連付けるネットワークによって受信されたシグナリングに、少なくとも部分的に、依存する、請求項１８に記載の方法。
【請求項２０】
基地局（ＢＳ）によるワイヤレス通信のための方法であって、
ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、
前記ＵＥに復調基準信号（ＤＭ−ＲＳ）ベース送信を送ることと、前記ＤＭ−ＲＳ送信は、前記示されたＣＳＩ−ＲＳリソースを使用して実行された前記タイミング推定に基づいて前記ＵＥによって復号される、を備える、方法。
【請求項２１】
前記シグナリングは、
１つまたは複数の構成状態を示す半静的シグナリングと、ここにおいて、各構成状態は１つのＣＳＩ−ＲＳリソースに関連付けられる、
前記１つまたは複数の構成状態のうちのいずれが前記タイミング推定を実行するために利用されるべきかを示す動的シグナリングとの組合せを備える、請求項２０に記載の方法。
【請求項２２】
前記シグナリングが、前記ＤＭ−ＲＳベース送信に関連付けられた許可中に含まれる少なくとも１ビットを介して前記タイミング推定を実行するために使用されるべきＣＳＩ−ＲＳリソースを示す、請求項２０に記載の方法。
【請求項２３】
前記指示が、前記ＤＭ−ＲＳベース送信に関連付けられた許可のタイプに少なくとも部分的に基づく、請求項２２に記載の方法。
【請求項２４】
前記シグナリングが、前記許可中のスクランブリングコード識別（ＳＣＩＤ）ビットを介して前記タイミング推定を実行するために使用されるべきＣＳＩ−ＲＳリソースを示す、請求項２２に記載の方法。
【請求項２５】
前記シグナリングが第１のサブフレーム中で提供され、
前記ＤＭ−ＲＳベース送信が前記第１のサブフレームに続く第２のサブフレーム中で送信される、請求項２０に記載の方法。
【請求項２６】
タイミング推定のために使用されるべき前記ＣＳＩ−ＲＳリソースは、非周期フィードバック報告がそのために直近に報告または要求されたものとして選択される、請求項２０に記載の方法。
【請求項２７】
前記シグナリングが仮想セルＩＤに基づく、請求項２０に記載の方法。
【請求項２８】
使用されるべき前記ＣＳＩ−ＲＳリソースが、サブフレームのタイプに少なくとも部分的に依存する、請求項２０に記載の方法。
【請求項２９】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に依存する、請求項２８に記載の方法。
【請求項３０】
前記ＤＭ−ＲＳベース送信がデータ送信を備える、請求項２０に記載の方法。
【請求項３１】
前記ＤＭ−ＲＳベース送信が制御情報を備える、請求項２０に記載の方法。
【請求項３２】
前記ＤＭ−ＲＳベース送信が拡張物理ダウンリンク制御チャネル（ＥＰＤＣＣＨ）を備える、請求項３１に記載の方法。
【請求項３３】
前記ＥＰＤＣＣＨがマルチプルの復号セットを備え、
前記シグナリングが前記復号セットの各々をＣＳＩ−ＲＳリソースに関連付ける、請求項３２に記載の方法。
【請求項３４】
ワイヤレス通信のための装置であって、
１つまたは複数のチャネル状態情報基準信号（ＣＳＩ−ＲＳ）リソースを受信するための手段と、
前記１つまたは複数のＣＳＩ−ＲＳリソースに基づいてタイミング推定を実行するための手段と、
復調基準信号（ＤＭ−ＲＳ）ベース送信を受信するための手段と、
前記ＤＭ−ＲＳベース送信を復号するために前記タイミング推定を利用するための手段とを備える、装置。
【請求項３５】
前記タイミング推定を実行するためにいずれのＣＳＩ−ＲＳリソースを使用すべきかを判断するための手段をさらに備える、請求項３４に記載の装置。
【請求項３６】
前記判断が、ネットワークから受信されたシグナリングに少なくとも部分的に基づく、請求項３５に記載の装置。
【請求項３７】
前記ネットワークから受信された前記シグナリングは、
１つまたは複数の構成状態を示す、前記ネットワークからの半静的シグナリングと、ここにおいて、各構成状態は１つのＣＳＩ−ＲＳリソースに関連付けられる、
前記１つまたは複数の構成状態のうちのいずれが前記タイミング推定を実行するために利用されるべきかを示す動的シグナリングとの組合せを備える、請求項３６に記載の装置。
【請求項３８】
前記シグナリングが、前記ＤＭ−ＲＳベース送信に関連付けられた許可中に含まれる少なくとも１ビットを介して前記タイミング推定を実行するために使用されるべきＣＳＩ−ＲＳリソースを示す、請求項３６に記載の装置。
【請求項３９】
前記判断が、前記ＤＭ−ＲＳベース送信に関連付けられた許可のタイプに少なくとも部分的に基づく、請求項３６に記載の装置。
【請求項４０】
前記シグナリングが、前記許可中のスクランブリングコード識別（ＳＣＩＤ）ビットを介して前記タイミング推定を実行するために使用されるべきＣＳＩ−ＲＳリソースを示す、請求項３８に記載の装置。
【請求項４１】
前記シグナリングが第１のサブフレーム中で提供され、
前記ＤＭ−ＲＳベース送信が前記第１のサブフレームに続く第２のサブフレーム中で送信される、請求項３６に記載の装置。
【請求項４２】
タイミング推定のために使用されるべき前記ＣＳＩ−ＲＳリソースは、非周期フィードバック報告がそのために直近に報告または要求されたものとして選択される、請求項３６に記載の装置。
【請求項４３】
前記判断が仮想セルＩＤに基づく、請求項３６に記載の装置。
【請求項４４】
前記判断がサブフレームのタイプに、少なくとも部分的に、依存する、請求項３５に記載の装置。
【請求項４５】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に、依存する、請求項４４に記載の装置。
【請求項４６】
前記ＤＭ−ＲＳベース送信がデータ送信を備える、請求項３４に記載の装置。
【請求項４７】
前記ＤＭ−ＲＳベース送信が制御情報を備える、請求項３４に記載の装置。
【請求項４８】
前記ＤＭ−ＲＳベース送信が拡張物理ダウンリンク制御チャネル（ＥＰＤＣＣＨ）を備える、請求項４７に記載の装置。
【請求項４９】
前記ＥＰＤＣＣＨがマルチプルの復号セットを備え、及び
前記ＤＭ−ＲＳベース送信に関連付けられた前記ＣＳＩ−ＲＳリソースの判断が、前記復号セットの各々をＣＳＩ−ＲＳリソースに関連付けるネットワークによって受信されたシグナリングに、少なくとも部分的に依存する、請求項４８に記載の装置。
【請求項５０】
ワイヤレス通信のための装置であって、
ユーザ機器（ＵＥ）に、タイミング推定を実行するために使用されるべき１つまたは複数のチャネル状態情報基準信号（ＣＳＩ−ＲＳ）リソースのセットを示すシグナリングを送信するための手段と、
前記ＵＥに復調基準信号（ＤＭ−ＲＳ）ベース送信を送るための手段と、前記ＤＭ−ＲＳ送信は、前記示されたＣＳＩ−ＲＳリソースを使用して実行された前記タイミング推定に基づいて前記ＵＥによって復号される、
を備える、装置。
【請求項５１】
前記シグナリングは、
１つまたは複数の構成状態を示す半静的シグナリングと、ここにおいて、各構成状態は１つのＣＳＩ−ＲＳリソースに関連付けられる、
前記１つまたは複数の構成状態のうちのいずれが前記タイミング推定を実行するために利用されるべきかを示す動的シグナリングと、
の組合せを備える、請求項５０に記載の装置。
【請求項５２】
前記シグナリングが、前記ＤＭ−ＲＳベース送信に関連付けられた許可中に含まれる少なくとも１ビットを介して前記タイミング推定を実行するために使用されるべきＣＳＩ−ＲＳリソースを示す、請求項５０に記載の装置。
【請求項５３】
前記指示が、前記ＤＭ−ＲＳベース送信に関連付けられた許可のタイプに、少なくとも部分的に、基づく、請求項５２に記載の装置。
【請求項５４】
前記シグナリングが、前記許可中のスクランブリングコード識別（ＳＣＩＤ）ビットを介して前記タイミング推定を実行するために使用されるべきＣＳＩ−ＲＳリソースを示す、請求項５２に記載の装置。
【請求項５５】
前記シグナリングが第１のサブフレーム中でシグナリングを提供し、
前記ＤＭ−ＲＳベース送信が前記第１のサブフレームに続く第２のサブフレーム中で送信される、請求項５０に記載の装置。
【請求項５６】
タイミング推定のために使用されるべき前記ＣＳＩ−ＲＳリソースは、非周期フィードバック報告がそのために直近に報告または要求されたものとして選択される、請求項５０に記載の装置。
【請求項５７】
前記シグナリングが仮想セルＩＤに基づく、請求項５０に記載の装置。
【請求項５８】
使用されるべき前記ＣＳＩ−ＲＳリソースが、サブフレームのタイプに少なくとも部分的に依存する、請求項５０に記載の装置。
【請求項５９】
タイミング推定のために使用される前記ＣＳＩ−ＲＳリソースは、前記ＣＳＩ−ＲＳを含んでいるサブフレームが、他の送信ポイントによる低減された干渉を受けるかどうかに、少なくとも部分的に、依存する、請求項５８に記載の装置。
【請求項６０】
前記ＤＭ−ＲＳベース送信がデータ送信を備える、請求項５０に記載の装置。
【請求項６１】
前記ＤＭ−ＲＳベース送信が制御情報を備える、請求項５０に記載の装置。
【請求項６２】
前記ＤＭ−ＲＳベース送信が拡張物理ダウンリンク制御チャネル（ＥＰＤＣＣＨ）を備える、請求項６１に記載の装置。
【請求項６３】
前記ＥＰＤＣＣＨがマルチプルの復号セットを備え、
前記シグナリングが、前記復号セットの各々をＣＳＩ−ＲＳリソースに関連付けるシグナリングを供する、請求項６２に記載の装置。
【請求項６４】
少なくとも１つのプロセッサと、
前記少なくとも１つのプロセッサに結合されたメモリとを備え、ここにおいて、前記少なくとも１つのプロセッサは、１つまたは複数のチャネル状態情報基準信号（ＣＳＩ−ＲＳ）リソースを受信することと、前記１つまたは複数のＣＳＩ−ＲＳリソースに基づいてタイミング推定を実行することと、復調基準信号（ＤＭ−ＲＳ）ベース送信を受信することと、前記ＤＭ−ＲＳベース送信を復号するために前記タイミング推定を利用することと、を行うように構成されるユーザ機器。
【請求項６５】
少なくとも１つのプロセッサと、
前記少なくとも１つのプロセッサに結合されたメモリとを備え、ここにおいて、前記少なくとも１つのプロセッサは、ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、前記ＵＥに復調基準信号（ＤＭ−ＲＳ）ベース送信を送ることと、を行うように構成され、前記ＤＭ−ＲＳ送信は、前記示されたＣＳＩ−ＲＳリソースを使用して実行された前記タイミング推定に基づいて、前記ＵＥによって復号される、基地局。
【請求項６６】
その上に記憶された命令を有する非一時的コンピュータ可読媒体であって、前記命令は、
１つまたは複数のチャネル状態情報基準信号（ＣＳＩ−ＲＳ）リソースを受信することと、
前記１つまたは複数のＣＳＩ−ＲＳリソースに基づいてタイミング推定を実行することと、
復調基準信号（ＤＭ−ＲＳ）ベース送信を受信することと、
前記ＤＭ−ＲＳベース送信を復号するために前記タイミング推定を利用することと、のために１つまたは複数のプロセッサによって実行可能である、非一時的コンピュータ可読媒体。
【請求項６７】
その上に記憶された命令を有する非一時的コンピュータ可読媒体であって、前記命令は、
ユーザ機器（ＵＥ）に、タイミング推定を実行するために使用されるべき１つまたは複数のチャネル状態情報基準信号（ＣＳＩ−ＲＳ）リソースのセットを示すシグナリングを送信することと、
前記ＵＥに復調基準信号（ＤＭ−ＲＳ）ベース送信を送ることと、前記ＤＭ−ＲＳ送信は、前記示されたＣＳＩ−ＲＳリソースを使用して実行された前記タイミング推定に基づいて前記ＵＥによって復号される、
のために１つまたは複数のプロセッサによって実行可能である、非一時的コンピュータ可読媒体。